(57)【特許請求の範囲】
【請求項１】
磁性被吸着体に取り付け可能なキャップ本体と、前記キャップ本体と前記磁性被吸着体との間に位置させる弾性体とを含み、前記キャップ本体は、カバー部と、カバー部から起立して前記磁性被吸着体に接触させることが可能な周壁とを有し、前記カバー部と前記周壁とによって形成された空洞に施錠装置の少なくとも一部が収容可能な保護キャップにおいて、
前記周壁には、前記磁性被吸着体に接触する本体内面に開口する凹部が形成され、前記凹部には磁石が装着され、
前記磁石の互いに対向する一対の面には、ヨークがそれぞれ配置され、前記ヨークのそれぞれには前記磁石に対向する内面と、前記内面の反対側であって前記凹部に対向する外面とを含み、
前記ヨークのそれぞれには、前記外面から突出する突起が形成され、前記凹部には前記突起に対応する嵌合孔がそれぞれ形成され、
前記凹部のそれぞれに前記ヨークの前記突起がそれぞれ挿入された状態では、一対の前記ヨークの前記内面の間に、前記磁石を挿入することができる空間が形成されることを特徴とする前記保護キャップ。
【請求項２】
一対の前記嵌合孔は、同軸線上に形成される請求項１記載の保護キャップ。
【請求項３】
前記磁石は、前記周壁の近傍に沿って連続的に装着された前記弾性体の内側に配置される請求項１または２に記載の保護キャップ。
【請求項４】
前記本体内面には、前記弾性体を保持する溝が形成され、前記弾性体は、前記溝に位置する底端面と前記溝から突出する頂端面とを有し、
前記ヨークの前記磁性被吸着体に接触する側縁面は、前記本体内面と前記弾性体の前記頂端面との間に位置する請求項３記載の保護キャップ。
【発明の詳細な説明】
【技術分野】
【０００１】
この発明は、屋外配電盤等の磁性被吸着体に取り付けられた鍵穴や施錠用ハンドルを覆う保護キャップに関する。
【背景技術】
【０００２】
従来、屋外配電盤の扉等に形成された鍵穴から内部に水や塵が入るのを防ぐ保護キャップが知られている。例えば、特許文献１によれば、保護キャップは、扉に取り付けられるベース体と、鍵穴および施錠用ハンドルを覆うキャップ体とを有する。キャップ体は、ベース体に対して回動可能に取り付けられている。これらキャップ体とベース体との間には、スプリングが伸縮可能に取り付けられている。施錠または解錠の操作時には、キャップ体を回動させて鍵穴を露出させ、スプリングの伸縮力によって露出させた状態を維持することができる。
【先行技術文献】
【特許文献】
【０００３】
【特許文献１】特開平１１−３２４４２５号公報（ＪＰ  １１−３２４４２５Ａ）
【発明の概要】
【発明が解決しようとする課題】
【０００４】
上記のような保護キャップにおいて、これを扉に取り付ける際には、施錠用ハンドルと扉との間にベース体を挟持させる。したがって、施錠用ハンドルを装着した後に保護キャップを取り付ける場合には、施錠用ハンドルを外さなければならず、これら取り付けが容易ではないという問題があった。また、鍵穴が露出した状態にされたキャップ体は、強風やスプリングの劣化等によって操作中に閉じてしまうことがあり、これを片方の手で押えながら施錠または解錠の操作をしなければならず、キャップ体が邪魔になるという問題があった。
【０００５】
この発明は、容易に取り付けることができ、施錠装置の操作時には邪魔になることがない保護キャップを提供することを課題とする。
【課題を解決するための手段】
【０００６】
この発明は、磁性被吸着体に取り付け可能なキャップ本体と、前記キャップ本体と前記磁性被吸着体との間に位置させる弾性体とを含み、前記キャップ本体は、カバー部と、カバー部から起立して前記磁性被吸着体に接触させることが可能な周壁とを有し、前記カバー部と前記周壁とによって形成された空洞に施錠装置の少なくとも一部が収容可能な保護キャップの改良にかかわる。
【０００７】
この発明は、前記保護キャップにおいて、前記周壁には、前記磁性被吸着体に接触する本体内面に開口する凹部が形成され、前記凹部には磁石が装着されることを特徴とする。
【００１０】
他の実施態様のひとつとして、一対の前記嵌合孔は、同軸線上に形成される。
【００１１】
他の実施態様のひとつとして、前記磁石は、前記周壁の近傍に沿って連続的に装着された前記弾性体の内側に配置される。
【００１２】
他の実施態様のひとつとして、前記本体内面には、前記弾性体を保持する溝が形成され、前記弾性体は、前記溝に位置する底端面と前記溝から突出する頂端面とを有し、前記ヨークの前記磁性被吸着体に接触する側縁面は、前記本体内面と前記弾性体の前記頂端面との間に位置する。
【発明の効果】
【００１３】
この発明は、磁石の吸着力によって保護キャップを扉等の磁性被吸着体に取り付けることができるので、施錠用ハンドル等を磁性被吸着体に取り付けた後でも保護キャップを施錠用ハンドル等にかぶせるだけで容易に取り付けることができる。また、保護キャップは磁石の吸着力で磁性被吸着体に吸着しているだけなので、これを外すことも容易である。さらに、外した保護キャップは施錠用ハンドル等から離れた場所に付着させておけばよいので、施錠または解錠の邪魔になることもないし、外した保護キャップが落下したり、紛失したりすることもない。
【図面の簡単な説明】
【００１４】
【図１】保護キャップの斜視図。
【図２】図１のＩＩ−ＩＩ線断面図。
【図３】図２のＩＩＩ部分拡大図。
【発明を実施するための形態】
【００１５】
図１〜３は、この発明の実施形態の一例である保護キャップ１を示したものである。図１は保護キャップ１の斜視図であってその一部の組み立て状態を示した図、図２は図１のＩＩ−ＩＩ線断面図、図３は図２のＩＩＩ部分の拡大図である。保護キャップ１は、縦方向Ｙ、これに直交する横方向Ｘ、横方向Ｘの寸法を二等分する仮想縦中心線Ｐ−Ｐ、縦方向Ｙの寸法を二等分する仮想横中心線Ｑ−Ｑを有する。保護キャップ１は、仮想縦中心線Ｐ−Ｐおよび仮想横中心線Ｑ−Ｑに対してほぼ対称とされている。
【００１６】
保護キャップ１は、好ましくは合成樹脂等の非磁性体によって形成されるキャップ本体１０と、キャップ本体１０に取り付けられたループ状、枠状の弾性体（シール）２０とを含む。キャップ本体１０は、カバー部１１と、カバー部１１から起立する周壁１２とを含み、周壁１２には、扉等の磁性被吸着体に安定的に接触させる本体内面１３と、本体内面１３に開口する凹部１４とが形成される。凹部１４は、仮想縦中心線Ｐ−Ｐ上に位置し、縦方向Ｙに離間して２つ形成されている。凹部１４には、一対のヨーク３２に挟まれた磁石３１がそれぞれ取り付けられる。
【００１７】
保護キャップ１が取り付けられる図示しない磁性被吸着体として、例えば、配電盤等の扉であって、鍵穴および施錠用ハンドルが取り付けられたものがあげられる。これら鍵穴および施錠用ハンドルの少なくとも一部を保護キャップ１で覆うことができる。具体的には、キャップ本体１０は、カバー部１１と周壁１２によって空洞が形成され、この空洞内に鍵穴および施錠用ハンドルが収容可能である。また、磁性被吸着体は、鉄等の磁性金属によって形成され、磁石３１の吸着力によって、保護キャップ１が磁性被吸着体に吸着可能である。
【００１８】
ヨーク３２は、磁石３１の吸着力または吸引力を増幅させるもので、磁石３１の図面上下面にそれぞれ接触する内面３３と、内面３３の反対側であって凹部１４の図面上下面にそれぞれ接触する外面３４とを含む。外面３４には、凹部１４側に突出する突起３５が形成されている。突起３５は、ヨーク３２の内面３３を外面３４に向かって凹ませて形成したもので、内面３３には突起３５に対応する窪みが形成されている。突起３５は、ヨーク３２のほぼ中心に位置している。ヨーク３２の内面３３の表面積は、接触する磁石３１の表面積よりも大きく形成されている。
【００１９】
凹部１４には、ヨーク３２の突起３５に対応する嵌合孔１５が形成されている。嵌合孔１５は、仮想縦中心線Ｐ−Ｐ上に配置されている。縦方向Ｙ内側すなわち仮想横中心線Ｑ−Ｑ側に位置する嵌合孔１５は、周壁１２を貫通しているが、縦方向Ｙ外側に位置する嵌合孔１５は、周壁１２を貫通していない。縦方向Ｙ外側の嵌合孔１５が周壁１２を貫通しないことによって、孔を介して保護キャップ１の外部から内部へと粉塵等が浸入するのを未然に防止している。
【００２０】
この実施形態において、嵌合孔１５は円筒形であり、その縦方向Ｙに延びる仮想軸と保護キャップ１の仮想縦中心線Ｐ−Ｐとは一致している。このように嵌合孔１５を仮想縦中心線Ｐ−Ｐに一致させることによって、ヨーク３２を、突起３５を支点として凹部１４に対して回動可能とすることができる。ただし、この実施形態では、ヨーク３２の回動は凹部１４によって規制されるから、数度の範囲で回動可能とされている。このようにヨーク３２が回動することによって、磁性被吸着体に対して面で接触することができるから、磁石３１の吸着力の低下を防止することができ、保護キャップ１を扉等に密着させることができる。
【００２１】
周壁１２の本体内面１３には、周壁の近傍に沿って連続した溝１６が形成され、この溝１６に弾性体２０が取り付けられている。図３に示したように、弾性体２０は、溝１６に位置する底端面２１と、溝１６から突出して底端面２１から最も離れた場所に位置する頂端面２２とを有する。ヨーク３２の磁性被吸着体に接触する側縁面３６は、本体内面１３と、弾性体２０の頂端面２２との間に位置している。したがって、弾性体２０が撓んでいない図３の状態では、ヨーク３２が弾性体２０から突出することがない。しかし、これを磁性被吸着体に取り付けた際には、磁石３１の吸着力で弾性体２０を撓ませながらヨーク３２の側縁面３６が磁性被吸着体に接触する。したがって、保護キャップ１と磁性被吸着体との間に隙間が生じることなく、これらが密着され、保護キャップ１と磁性被吸着体との間から埃や水が浸入するのを未然に防止することができる。
【００２２】
凹部１４は弾性体２０の内側に設けられ、この凹部１４に磁石３１が取り付けられるので、弾性体２０が撓んで保護キャップ１と磁性被吸着体とが密着した際には、保護キャップ１外部からの粉塵から磁石３１を保護することもできる。したがって、磁石３１に粉塵が付着することによる吸着力の低下を防止することもできる。
【００２３】
上記のような保護キャップ１は、カバー部１１と周壁１２によって空洞が形成されているから、この空洞に鍵穴および施錠用ハンドルを収容することができる。保護キャップ１は磁石３１の吸着力で磁性被吸着体に取り付けることができるので、鍵穴や施錠用ハンドルの取り付け時に特別な作業をする必要がない。すなわち、これら施錠装置が磁性被吸着体に既に設置されている場合であっても、容易に保護キャップ１でこれらを保護することができる。鍵の施錠・解錠時には、保護キャップ１を磁石３１の吸着力に抗して剥がすようにするだけで、これを外すことができる。外した保護キャップ１は例えば扉の他の部分に吸着させておけば作業の邪魔になることもなく、落としたり紛失したりすることもない。
【００２４】
図１に示したように、このような保護キャップ１において、キャップ本体１０に磁石３１を取り付ける場合には、ヨーク３２を凹部１４に挿入し、それぞれの突起３５を嵌合孔１５に嵌合させる。これらヨーク３２を縦方向Ｙに離間させておき、離間部分に磁石３１を挿入する。磁石３１を挿入した状態において、一方のヨーク３２の突起３５から他方のヨーク３２の突起３５までの長さ寸法は、凹部１４の縦方向Ｙにおける離間寸法よりも大きくされている。したがって、ヨーク３２間に磁石３１を挿入することによって、ヨーク３２の突起３５は嵌合孔１５に保持される。磁石３１とヨーク３２とは、磁石３１の吸着力によって互いに吸着している。したがって、これらヨーク３２の間から磁石３１が抜けるということがない。
【００２５】
ヨーク３２に突起３５を形成し、これを嵌合孔１５に挿入するだけで、磁石３１およびヨーク３２が凹部１４からはずれることがないので、これらを凹部１４に保持するための特別な部材を必要としない。また、磁石３１およびヨーク３２を凹部１４に挿入するだけでいいので、これらを装着するための工具等が不要である。
【００２６】
この実施形態では、凹部１４は２つ形成し、これら凹部１４にそれぞれ磁石３１を取り付けているが、これに限ったものではない。例えば、凹部１４はひとつまたは３つ以上形成してもよい。また、磁石３１の互いに対向する二面を一対のヨーク３２で挟むようにしているが、この二面を連続したコ字状のヨークで囲むようにしてもよい。この場合、ヨークを撓ませながら凹部１４にはめ込み、突起３５を嵌合孔１５に挿入した後、互いに対向するヨークの間に磁石３１を配置する。ヨークは必須の構成ではなく、磁石３１の吸着力によっては、磁石単体で用いることができる。その場合には、磁石に突起を形成することによって、磁石が凹部から外れるのを防止することができる。
【００２７】
カバー部１１と周壁１２とによって形成される空洞の大きさは、鍵穴や施錠用ハンドルの大きさ等によって適宜変更可能である。
保護キャップ１を構成する各構成部材には、この明細書に記載されている材料のほかに、この種の分野において通常用いられている、各種の公知の材料を制限なく用いることができる。
【符号の説明】
【００２８】
１    保護キャップ
１０    キャップ本体
１１    カバー部
１２    周壁
１３    本体内面
１４    凹部
１５    嵌合孔
１６    溝
２０    弾性体
２１    底端面
２２    頂端面
３１    磁石
３２    ヨーク
３３    内面
３４    外面
３５    突起
３６    側縁面
【図１】
0005547689.tif 000002
【図２】
0005547689.tif 000003
【図３】
0005547689.tif 000004